Podtech/llm-jp-corpus-v4-ja_patent huggingface dataset:
(57)【要約】      （修正有）【課題】竹の材質でミニ仏壇型の「かぐや竹厨子」と称しいつでも手を合わせてお祀りができ先祖との対面対話を通じて自分自身の素直な気持ちが心の中で伝えることができるよう前世、現世、次世代を勘案した竹厨子を提供する。【解決手段】本体１は、上部と下部に節を要する丸竹からなり、丸竹の茎部を切り抜いて両開きの扉を設ける。両開きの扉が、切り抜いた丸竹によって構成されている。両開きの扉が、蝶番２ａ、２ｂ、２ｃ、４ａ、４ｂ、４ｃによって丸竹に固定されている。蝶番は、真鍮もしくは銅板からなる。下部の節の下に行燈を設ける。竹の表面の金具は全て手打ち手作りで仕上げており竹の丸みの形状に合わせて金具を打ち付けている。【選択図】図１
0003217164.tif 000002
【実用新案登録請求の範囲】
【請求項１】
上部と下部に節を要する丸竹と、前記丸竹の茎部を切り抜いて両開きの扉を設けた竹厨子
【請求項２】
前記両開きの扉が、前記切り抜いた丸竹によって構成されている請求項１に記載の竹厨子
【請求項３】
前記両開きの扉が、蝶番によって前記丸竹に固定されている請求項１または２に記載の竹厨子
【請求項４】
前記蝶番は、真鍮もしくは銅板からなる請求項３に記載の竹厨子
【請求項５】
前記下部の節の下に行燈を設けた請求項１〜４に記載の竹厨子
【考案の詳細な説明】
【技術分野】
【０００１】本考案は丸竹の節とその縦の中央部を両開きに切り抜き真鍮や銅板で蝶番（ちょうつがい）を以って竹に金具を取付けた厨子という仏具である。
【背景技術】
【０００２】従来、ご供養のためには仏壇が一般的、且つ必然的な存在であった。仏壇はサイズが大きいため、設置のために仏間を必要としていた。
【先行技術文献】
【特許文献】
【０００３】
【特許文献１】特開平０５−０５６８３８号  公報
【考案の概要】
【考案が解決しようとする課題】
【０００４】毎日手を合わせる仏壇を設置したいが仏間やスペースがない、マンション住まいに引っ越した、転勤に伴う単身赴任、一人暮らしといったように昨今、住宅事情や所帯単位が多様化してきた。このような社会環境から現代風に住宅のデザインにマッチしたしかもシンプル且つコンパクトな自分本位のマイ仏具が必要とされている。
【課題を解決するための手段】
【０００５】本考案に係る竹厨子は、上部と下部に節を要する丸竹と、前記丸竹の茎部を切り抜いて両開きの扉が設けられていることを特徴とする。【０００６】本考案に係る竹厨子は、前記両開きの扉が、前記切り抜いた丸竹によって構成されていることを特徴とする。【０００７】本考案に係る竹厨子は、前記両開きの扉が、蝶番によって前記丸竹に固定されていることを特徴とする。【０００８】本考案に係る竹厨子は、前記蝶番が、真鍮もしくは銅板からなることを特徴とする。【０００９】本考案に係る竹厨子は、前記下部の節の下に行燈が設けられていることを特徴とする。
【考案の効果】
【００１０】本考案の竹厨子により、コンパクトかつ洋間を主とする現代住宅のデザインに合致した装飾の仏具を提供することが可能となる。
【図面の簡単な説明】
【００１１】
【図１】本考案に係る竹厨子の両開きの扉を閉じた正面図である
【図２】本考案に係る竹厨子の両開きの扉を開いた正面図である。
【図３】本考案に係る行燈を設けた竹厨子の正面図である。
【図４】本考案に係る行燈の詳細図である。
【考案を実施するための形態】
【００１２】以下、添付図面に従って実施例を説明する。
図１に実施例を示す。１は竹を節のところで竹切鋸で輪切りして中間の位置で縦切り、横切りしてくり抜いた中央部を更に半分に縦切りして両開きの扉を仕上げる。２は本体と両開きの扉を蝶番（ちょうつがい）で組み合わせ左右の２，４ａｂｃに上から芯棒をはめこみ連結することによって自由に開閉することができる。３は中央には飾り金具を取付けし錠旋を鍵かけ方式にして開閉する。
【００１３】図２は図１の実施例において、両開きの扉を開いた実施例である。６は丸竹に沿わせた真鍮板を台座に合わせ微調整して本体に固定設置する。厨子は仏像、仏画の掛け軸、ご位牌等を安置するものであり台座にはご本尊を置き、内扉の左右両面には家紋繁栄、子孫長久，災障消除等の少しでも悔いのないよう切に願う言葉を金属板に手打ち印字で刻み願い事の銘板７ａｂとして取り付けている。
【００１４】図３に他の実施例を示す。図３は竹厨子の下部の節の下に行燈を設けている。
１１ａｂ１２ａｂの行燈は竹の表面を木工用ドリルで穴位置を決め３ミリ、４ミリ、５ミリ、６ミリのドリルを駆使して六つ星や波型状に画きながらランダムに穴をあける。１６は竹の穴から光がこぼれるようにグローソケットを取付け１５ミニボール球１０Ｗで照らしほのぼのとした色合いが楽しめるようにセッテイングする。コードには置き場所を考慮して中間スイッチを付けている。
厨子と行燈を一体化することにより現実から離れて幻想的な空間の世界をよみがえらせます。
【符号の説明】
【００１５】１  竹材による輪切り本体
２ａ，２ｂ，２ｃ  左扉の取付け蝶番金具
３  中央部の飾り金具と錠掛け金具
４ａ，４ｂ  右扉の取付け蝶番金具
５ａ，５ｂ  上下左右の飾り金具
６  台座
７ａ，７ｂ  願い事の銘板
８  仏画の掛け軸
９  小型厨子
１０  厨子９の観音開き
１１ａ，１１ｂ  六つ星穴あけ
１２ａ，１２ｂ  ３ミリ４ミリ５ミリ６ミリのドリル穴あけ
１３  接続コード
１４  中間スイッチ付き
１５  ミニボール球１０Ｗ
１６  グローソケット本体上からみた形体
１７  中央ミニボール挿入口金
１８ａ，１８ｂ  取付けねじ穴
１９  置台にグローソケットとミニボール取付け（竹内部断面図）
２０  丸竹にグローソケット取付け後の底面から見た形体
【図１】
0003217164.tif 000003
【図２】
0003217164.tif 000004
【図３】
0003217164.tif 000005
【図４】
0003217164.tif 000006
(57)【要約】      （修正有）【課題】日本みつ蜂の巣箱より巣を切り取り、採蜜する際に流出する蜜が巣内下方に落ちるのを防止できる採蜜用の箱包丁を提供する。【解決手段】日本みつ蜂の多重式巣箱から蜂蜜を採収する際に巣箱内の巣の切断に使用する四角形の包丁であって、包丁の刃渡り、および胴１の幅が巣箱の幅よりも長く、かつ包丁の四辺のうち一辺に刃２を付けて、以外の三辺の縁取りを高くしたことを特徴とする。巣の切断と同時に巣は箱包丁の胴に乗るため、切り離した部位の切断面を瞬時に塞ぎ胴が巣の下部との隔たりとなり、蜜の流落を防げる。【選択図】図１
0003217167.tif 000002
【実用新案登録請求の範囲】
【請求項１】
日本みつ蜂の多重式巣箱から蜂蜜を採収する際に巣箱内の巣の切断に使用する四角形の包丁であって、当該包丁の刃渡り、および胴幅が当該巣箱の幅よりも長く、かつ当該包丁の四辺のうち一辺に刃を付けて、以外の三辺の縁取りを高くした、これを特徴とする採蜜用の箱包丁。
【考案の詳細な説明】
【技術分野】
【０００１】本願の考案は胴の幅が広い、四角形の大型包丁で、刃部以外の三辺の縁取りを高く囲った箱型包丁。
【背景技術】
【０００２】日本みつ蜂の巣箱は、一般に四角の木枠を数段重ねて天井と底をつけた巣箱が使用されており、採蜜の際は最上段の木枠と次段の木枠との間に長刃の包丁を入れ、中の巣房の連なった巣を切断し、最上段の木枠と共に外し、採蜜を行う。【０００３】しかし、上記の巣の切断は、蜜の充満した巣を切断することであり、多量の蜜が流落する。この流落した蜜は巣の下方に居る蜂に降り注ぐ。粘性のある蜜がかかると蜂は身動きがとれなくなり、又飛行も不能となるなどのダメージを受け、死に至ることも多々ある。
【考案の概要】
【考案が解決しようとする課題】
【０００４】採蜜時の巣の切断時に生ずる蜜の流落、この流落した蜜を浴びた蜂は多大なダメージを受ける。この蜜の流落を防ぐこと。
【課題を解決するための手段】
【０００５】日本みつ蜂の多重式巣箱から蜂蜜を採収する際に巣箱内の巣の切断に使用する四角形の包丁であって、当該包丁の刃渡り、および胴幅が当該巣箱の幅よりも長く、かつ当該包丁の四辺のうち一辺に刃を付けて、以外の三辺の縁取りを高くした、これを特徴とする採密用の箱包丁。【０００６】日本みつ蜂の多重式巣箱から採蜜する場合、巣箱の幅よりも長い刃渡りと胴幅の四角の包丁であって、四辺のうち一辺に刃を付けて、刃部以外の三辺の縁取りを高くした採蜜用の箱包丁で課題を解決する。
【考案の効果】
【０００７】巣箱からの採蜜は、数段重ねた木枠内の巣を最上段木枠と次段木枠の間に箱包丁の刃先を差し込み、押し切る。切られた最上段の木枠と中の巣は、切断と同時に箱包丁の胴に乗るため、巣内の蜜は落下することなく、箱包丁の胴に留まる。又、切断下部の巣は巣房が器状のため、内の蜜の落下はほとんど発生しない。
【図面の簡単な説明】
【０００８】
【図１】本考案の箱包丁の斜視図
【図２】本考案箱包丁の側面のＡからＢへ切断した断面拡大図
【図３】本考案箱包丁の展開図
【本考案を実施するための形態】
【０００９】図１の形状の箱包丁を図３の展開図を基に説明する。図３の形の金属板を用い箱包丁縁３，箱包丁縁４，箱包丁縁５の縁となる部位を箱包丁縁３の折り曲げ線８，箱包丁縁４の折り曲げ線９，箱包丁縁５の折り曲げ線１０の線に沿い、上方９０°の角度に折り曲げる。箱包丁縁３と箱包丁縁４の接合部、６が、又箱包丁縁４と箱包丁縁５の接合部７ができる。３と４の接合部６と、４と５の接合部７は離れないように溶接する。包丁刃２の部分に刃をつけて箱包丁とする。図２は胴につく刃をわかりやすくするための断面拡大図である。
【実施例】
【０００１０】以下添付図とともに実施例を説明する。木枠の重なる巣箱の最上段と次段の木枠の間に図１の金属素材の箱包丁の２の刃先を差し込み、箱包丁縁４又は箱包丁縁３、箱包丁縁５の縁を用い木枠内の巣を押し切る。最上段の木枠とともに切断された巣は箱包丁胴１の胴の上に乗る。尚、箱包丁の素材は金属以外セラミック、プラスチックでも可である。【０００１１】  切り離された巣からは当然蜜が流れ出すが、蜜は箱包丁胴１の胴の上に溜り箱包丁縁３，箱包丁縁４，箱包丁縁５、が箱包丁胴１の胴の周りを囲うため包丁外への蜜の流出はなく、下方の巣内に落ちることは防止されるため、蜂へのダメージは大幅に軽減ができる。
【符号の説明】
【０００１２】  １  箱包丁胴
２  箱包丁刃
３  箱包丁縁
４  箱包丁縁
５  箱包丁縁
６  縁、３と４の接合部
７  縁、４と５の接合部
８  縁３折り曲げ線
９  縁４折り曲げ線
１０  縁５折り曲げ線
Ａ  矢印の先からＢの矢印の先迄の切断案内始点
Ｂ  Ａの矢印の先から切断の終点
【図１】
0003217167.tif 000003
【図２】
0003217167.tif 000004
【図３】
0003217167.tif 000005
(57)【要約】      （修正有）【課題】被介護者の移乗の際に必要となる上半身起立に用いて便利な介護者用移乗補助具を提供する。【解決手段】柔軟性を有する素材による長方形状の主体１を設け、主体に固定されるとともに主体サイズより長尺で巾狭の引張ベルト２を設け、主体と引張ベルト間に補助ベルト３を、主体隅近傍と引張ベルト間に複数個斜方に設けたことを特徴とする。主体を被介護者の肩にあてがって介護者が引張ベルトを引張することにより、被介護者の上半身を楽に起き上がらせることができる。【選択図】図３
0003217168.tif 000002
【実用新案登録請求の範囲】
【請求項１】
柔軟性を有する素材による長方形状の主体を設け、該主体に固定されるとともに主体サイズより長尺で巾狭の引張ベルトを設け、上記主体と引張ベルト間に補助ベルトを、主体隅近傍と引張ベルト間に複数個斜方に設けたことを特徴とする介護者用移乗補助具。
【請求項２】
補助ベルトに代えて三角布を用いてなる請求項１記載の介護者用移乗補助具。
【考案の詳細な説明】
【技術分野】
【０００１】  この考案は、被介護者（以下、本人と略称する）を介護者が移乗させる場合に用いて便利なる移乗補助具に関する。
【背景技術】
【０００２】  上記移乗においては、介護者は本人の姿勢を変えて移乗させるために多くの労力を必要としているが、この移乗時に用いて便利なる移乗補助具は現在のところ見当たらない。
【考案の概要】
【考案が解決しようとする課題】
【０００３】  介護作業は現在において必須の作業である。身体の不自由な人がベッドに横になっているとき、自力では自由に動けないことも多くあり、とりわけ足が不自由で自力歩行が困難なとき、車いすの利用と介護者の助力が必要となる。このとき、移乗すなわちベッドから車いすへの身体移動もしくはその逆の移乗が必要となり、その一例を以下に示す。１．本人の上半身を起こし、端座位すなわちベッドの端に腰をかけ、足を下ろした状態に  する。２．介護者の肩につかまってもらい、前屈みになって立ち上がってもらう。３．介護者は大きく足を開き、本人の前屈みに合わせて腰を低くしながら介助し、両腕を  本人の背中に回す。４．本人がバランスを崩さないように支えながら、ゆっくり方向転換する。５．本人に車いすのアームレストをつかんでもらい、立つときと同じく十分に前屈みにな  りながら車いすに座らせる。介護者は大きく足を開き、膝を曲げて介助する。６．足をフットレストに置いてもらい、腰を後ろにずらして深く座ってもらう。  このような一連の作業が移乗に必要である。【０００４】  介護者は本人の体重を支えつつ自分の体を前屈状態での作業となるために体への負担は大きく、自己の腰痛の恐れを思いながらの作業となる場合が多く、また、実際に腰痛を発症する介護者も少なくないのが現状であるが、これに対する適切な手段が見当たらないのが現状である。  本案は以上に鑑み、介助における移乗の前段階としての本人の上半身を起こす作業に用いて便利なる、新規かつ有用なる補助具を提供することを目的として発案したものである。
【課題を解決するための手段】
【０００５】  課題を解決する手段として本案は以下の構成とした。  すなわち、柔軟性を有する素材による長方形状の主体を設け、該主体に固定されるとともに主体サイズより長尺で巾狭の引張ベルトを設け、上記主体と引張ベルト間に補助ベルトを、主体隅近傍と引張ベルト間に複数個斜方に設ける。  本案は以上の構成よりなる介護者用移乗補助具である。
【考案の効果】
【０００６】  本案によれば、本人の肩にあてがって介護者が引張ベルトを引張することにより、本人の上半身を楽に起き上がらせることのできる有用なる用具を得ることができる。  また、布製とすれば本人への違和感もなく、その運搬や収納にも便利なものとすることができる。
【図面の簡単な説明】
【０００７】
【図１】本考案の正面図
【図２】本考案の底面図
【図３】本考案の背面図
【図４】本考案の他例を示す正面図
【図５】本考案の使用説明図
【考案を実施するための最良の形態】
【０００８】  以下、本考案の実施形態について説明する。  図において、１は主体で、縦約３０センチメートル、横約４０センチメートル、厚さ約６ミリメートルほどの柔らかくふっくらした長方形布体である。２は引張ベルトで、主体と同材質のベルト状部分であって、その全長は約１６０センチメートルほどで、前記主体中央に図１のごとく左右対称に縫着される。３は補助ベルトで、主体と引張ベルト間に、図１のごとく左右対称斜方に４本が縫着される。以上が本案の一実施形態である。【０００９】  次に、本案の使用について説明する。本案の使用に際しては、まず仰臥している被介護者（本人）の頭を介護者が少し持ち上げ、首の下に本案品の主体を滑り込ませる。次に引張ベルトの両端を介護者が握り、上向きの力を加えると、本人の上半身は引き起こされる。あとは従来手段にて移乗させることができる。主体中央には引張ベルトが縫着されているので、本人の肩の後ろに力が加わって容易に引き起こすことができる。  さらに、補助ベルトを設けているので、主体の上下部にも力を加えることができる。【００１０】  図４は本案の他例を示すもので、前例に用いた補助ベルトに代えて三角布４を用いた例である。この三角布の一辺は主体に縫着され、頂点は引張ベルトに縫着されており、機能上は前例と同様である。  以上、本案について記したが、本案によれば既述のように簡単な作業にて被介護者の上体を起立させることができて、移乗の際の助力手段として活用することができる。  従来法は本人の上半身を起こすには、介護者は前屈みになって本人の背とベッドとの間に手と腕を差し入れて起こすこととなり、腰に負担をかけながらの作業をしなければならない。これに対し本案は、既述のごとく引張ベルトを引くだけでよいので、従来法ほど前屈みにならなくてすむために、腰部への負担が軽減され、かつ力が入れやすいのである。  また、補助ベルト端が主体の上部と下部端に各々縫着されており、引張ベルトによる主体への力伝達以外に、主体の上部と下部への力伝達もでき、本人に対する安定した力伝達を行うことができる。なお、主体は布体を二つ折りしての縫合形成であり、補助ベルト端の主体への縫着はこの二つ折りの間に入れ込んでのものとなる。  なお、既述の例においては布製としたが、柔軟性を有する他の素材を用いてもよく、表裏の別なく用いることができる。
【符号の説明】
【００１１】  １  主体  ２  引張ベルト  ３  補助ベルト  ４  三角布
【図１】
0003217168.tif 000003
【図２】
0003217168.tif 000004
【図３】
0003217168.tif 000005
【図４】
0003217168.tif 000006
【図５】
0003217168.tif 000007
(57)【要約】      （修正有）【課題】大きな御朱印を頂く際に、１枚の中紙に収め、１８０度開閉を可能にし、御朱印を押印する側にも不安を感じさせない構造、かつ散逸しにくく携帯に便利な御朱印帳を提供する。【解決手段】一般的な御朱印帳の２倍に当たる幅を持たせた中紙４を同一方向に一回折し、喉部分と小口を糊付けしたものと、表表紙１、背表紙２、裏表紙３の３枚の台紙を貼り合わせた表紙を糊で固定してくるむ事により、１枚に大きな御朱印が収まるようになり、かつ蛇腹式と違い中身が散逸せず、一般的な御朱印帳に比べて本の強度が補強されているため書き手にも不安を感じさせない構造となっている。【選択図】図１
0003217181.tif 000002
【実用新案登録請求の範囲】
【請求項１】
表紙と、該表紙の長手方向に１回折された複数の中紙と、該複数の中紙を同一方向に並べて両端同士を糊付けしたものを、該表紙に貼り合わせた構造であることを特徴とする御朱印帳。
【請求項２】
請求項１に記載の御朱印帳であって、中紙の間に紙を差し込んだ状態で、前記中紙が見開いた状態で横長に大きく１８０度に開閉する構造であることを特徴とする御朱印帳。
【考案の詳細な説明】
【技術分野】
【０００１】      本考案は神社やお寺で参拝のしるしとして授与される御朱印を管理する御朱印帳に関する。
【背景技術】
【０００２】      神社や寺院において、参拝者に授与される証が御朱印であり、専用の御朱印帳に押印されていて、これらは蛇腹式という製本構造で作られたものが一般的に流通されており、大きさも１１ｃｍｘ１６ｃｍ程度の手のひらに収まる程度のものが主流となっている。（特許文献１参照）
【先行技術文献】
【特許文献】
【０００３】
【特許文献１】実用新案登録第３２０３６２２号  公報
【考案の概要】
【考案が解決しようとする課題】
【０００４】      しかしながら、近年では御朱印自体が大きく押される場合も増えてきており、参拝者からも大きい御朱印の方が記念になると好評であるが、通常頒布されていたり、販売されている御朱印帳では本を見開いた状態で押印を頂かないと収まらない場合が多く、折り目のない綺麗な状態で大きく、美しく御朱印を押印していただく事が難しい状況となっている。【０００５】      また、大きな御朱印を１枚に収めるために、単純に中紙と製本寸法を大きくすると、取り扱いが難しくなり本を落としてしまったり、広げた後に再度収納する作業に手間がかかったり、大きすぎるために、せっかくの御朱印帳を棄損しかねず、また、御朱印帳を広げた際に、１８０度開閉ができないため、御朱印の書き手が剥がれを気にしてしまい、うまく押印できなかったりと課題が出てきている。さらに、大きな御朱印を書くために墨を多めに筆に吸わせて書くため、裏側の紙に余分な墨が移ってしまい、使用する事が出来ないケースもある。
【課題を解決するための手段】
【０００６】      本考案は前記の課題に鑑みてなされたものである。本考案の目的は美しい御朱印帳を１枚の中紙に収め、１８０度開閉を可能にし、御朱印を押印する側にも不安を感じさせない構造、かつ散逸しにくく、墨が裏移りせず、携帯に便利な御朱印帳を提供する事である。
【考案の効果】
【０００７】      本考案の御朱印帳によれば、一般的な御朱印帳の２倍に当たる幅を持たせた中紙を同一方向に一回折し、隣接した中紙に墨を通しにくい間紙を挟み込んだ状態で喉部分と小口を糊付けしたものと、表表紙、背表紙、裏表紙の３枚の台紙を貼り合わせた表紙を糊で固定してくるむ事により、１枚に大きな御朱印が収まるようになり、かつ蛇腹式と違い中身が散逸しない構造になっている。
【図面の簡単な説明】
【０００８】
【図１】本考案の御朱印帳の一例の斜視図を示す。
【図２】本考案の御朱印帳の中紙位置の説明図となる。
【図３】本考案の御朱印帳の表紙の一例を示す。
【図４】本考案の中紙背中部分の説明図となる。
【考案を実施するための形態】
【０００９】  以下、本考案の実施形態を図面に基づいて説明する。なお、以下の説明は本考案の一実施形態について説明するものであり、本考案の技術思想を具体化するための例示であって、本考案は以下の実施形態に限定されるものではない。本考案は実用新案登録請求の範囲に示した技術思想に逸脱することなく変更を行ったものにも適用し得るものである。特に実施の形態に記載されている構成部品の寸法、材質、形状は特に特定した記載がない限りは単なる説明にすぎず、本考案の範囲を限定する趣旨ではない。
【００１０】（実施形態１）
図１は本考案の御朱印帳の外観図となる。横長の中紙４を表表紙１、背中表紙２、裏表紙３の三枚で構成された表紙と接着されている。図２は中紙４を分解した構成図となる。図３は表紙の構成となり、表表紙１、背中表紙２、裏表紙３がそれぞれ折り曲がるよう連結されている。以下、順を追って説明する。
【００１１】まずは図１の本考案の御朱印帳の概略図から説明する。表表紙１、背表紙２、裏表紙３で構成されたそれぞれが降り曲がるよう連結された表紙と、中紙４１、中紙４２という具合に複数枚が接着した中紙４とが綴じられた本の構成をしている。
【００１２】中紙の構成はこうである。まず横長の中紙４１は真ん中で縦方向に折られている。これは中紙４２、中紙４３等も同じく処置されている。中紙４１と中紙４２のように隣の中紙との間には墨やインクを通しにくい間紙４１ａを挟みこんで、接着部分４１１、４１２の部分で糊付けをする。
【００１３】同様に間紙４２ａを挟んだ状態で中紙４２と中紙４３を接着させる。繰り返しすべての中紙を接着させると、４ｂの部分がすべて接着された状態になり、背表紙２と接着する部分となる。反対側は隣接した中紙をめくることにより、見開いた状態が横に長い本の構造となる。
【００１４】図３は本考案の御朱印帳表紙部分となる。表表紙１、裏表紙２、背表紙３に当たる３枚がそれぞれ折り曲がるよう連結されている。
【００１５】図４は図２で説明した中紙４ｂ部分の強度を補完する目的で処置される。背紙５を４ｂに接着させて強度を安定させる事ができる。
【００１６】次に中紙と表紙を接着させる場合だが、中紙４ｃと表表紙１、中紙４１と裏表紙３がそれぞれ貼り合わせられ本の構造となる。４ｂと背表紙２は接着されずに、背紙５に補強された中紙４ｂが浮いた構成となるため、御朱印帳を開いたときに１８０度開閉する事ができる。
【符号の説明】
【００１７】Ａ    御朱印帳
１    表表紙
２    背表紙
３    裏表紙
４    中紙
４１、４２、４３    中紙
４１ａ、４２ａ    墨を防ぐ間紙
４ｂ    背中接合部
４ｃ    中紙
４１１、４１２、４１３、４１４    接合部
５    背紙
【図１】
0003217181.tif 000003
【図２】
0003217181.tif 000004
【図３】
0003217181.tif 000005
【図４】
0003217181.tif 000006
(57)【要約】【課題】印鑑を持ち歩く際に、印鑑がケースの中で振動し「カタカタ」と音が鳴ることを防止し、さらに拭き取り紙を収納できる印鑑ケースを提供する。【解決手段】底箱１２に印鑑を収納し箱蓋１３を閉じると、箱蓋１３の内側にある緩衝材で造られた開閉蓋１４に印鑑が優しく押さえつけられて振動することがない。さらに、開閉蓋１４を開けると拭き取り紙等を収納できる【選択図】図１
0003217183.tif 000002
【実用新案登録請求の範囲】
【請求項１】
箱蓋の内側にスポンジ等の緩衝材で造られた開閉できる蓋を設け、その開閉蓋の奥に拭き取り紙等を収納できる印鑑ケース
【考案の詳細な説明】
【技術分野】
【０００１】  本考案は、「カタカタ」と音が鳴らず、さらに拭き取り紙等を収納できる印鑑ケースに関するものである。
【背景技術】
【０００２】  現在市販されている小型印鑑ケースでカタカタ音を防ぎ、且つ、拭き取り紙を収納することは困難である。
【考案の概要】
【考案が解決しようとする課題】
【０００３】  印鑑を持ち歩く際に、印鑑がケースの中で振動し「カタカタ」と音が鳴ることで不快な思いをする人や、手近に拭き取り紙等が無く、使った後の印鑑をそのまま仕舞うことでケースが汚れて嫌な思いをする人は多い。
【課題を解決するための手段】
【０００４】  図１は請求項１の一例である印鑑ケース１を示す。箱蓋１３の内側にはスポンジ等の緩衝材で造られた開閉蓋１４を備えている。
【考案の効果】
【０００５】  底箱１２に印鑑を収納し箱蓋１３を閉じると印鑑が開閉蓋１４に優しく押さえつけられて振動することがない。【０００６】  さらに、図２に示すとおり開閉蓋１４を開けて、その中に拭き取り紙等を収納できるため、必要な時に拭き取り紙等を取り出して使用することができる。【０００７】  また、開閉蓋１４による緩衝効果は拭き取り紙を収納しない状態でもその効力を発揮するが、拭き取り紙を収納すると緩衝効果をより有効に発揮することができる。
【図面の簡単な説明】
【０００８】
【図１】本考案の印鑑ケースの一例である。
【図２】印鑑ケース箱蓋の開閉蓋を開いた状態を示す。
【考案を実施するための形態】
【０００９】  本考案による印鑑ケースにより、印鑑を持ち運ぶ際に発生する「カタカタ」音を防止すると共に、印鑑と拭き取り紙を一緒に携帯できる。
【実施例】
【００１０】  図１が本考案の印鑑ケース１の一例である。また、図２は印鑑ケース１の開閉蓋１４を開いた状態を示した。
【符号の説明】
【００１１】１  印鑑ケースの一例
１２  底箱
１３  箱蓋
１４  開閉蓋
２  拭き取り紙
【図１】
0003217183.tif 000003
【図２】
0003217183.tif 000004
(57)【要約】      （修正有）【課題】笛内部の洗浄を簡単に行える構造であり、且つ、熱に強く、落下等の衝撃で壊れにくい、鍋等の笛装置を提供する。【解決手段】鍋等の蓋部分（蓋本体１ａ、又は摘まみ等）に笛ベース部３ａが一体に、又は着脱可能に、又は着脱自在に設けられていて、該笛ベース部３ａに笛カバー部６ａを着脱自在に取り付ける構造にして、且つ、笛ベース部３ａ及び／又は笛カバー部６ａの材料として、シリコーンゴム等の、耐熱性と弾性に優れた材料を使用する。【選択図】図１
0003217184.tif 000002
【実用新案登録請求の範囲】
【請求項１】
蓋部分に笛ベース部が一体に、又は着脱可能に、又は着脱自在に設けられていて、該笛ベース部に笛カバー部を着脱自在に取り付ける構造であることを特徴とする、鍋等の笛装置。
【請求項２】
前記笛装置において、笛ベース部及び／又は笛カバー部の材料として、シリコーンゴムを使用することを特徴とする請求項１に記載の、鍋等の笛装置。
【考案の詳細な説明】
【技術分野】
【０００１】  本考案は水蒸気圧による、鍋等の笛装置に関する。
【背景技術】
【０００２】  本出願人が既に考案した実登３１９４５９３号公報、及び特開２０１７−０４２５８０号公報は、本考案と同様に、笛ベース部に笛カバー部が着脱自在に取り付けられる構造であり、笛内部の洗浄を簡単に行えるが、笛カバー部が、落下などの衝撃で壊れやすかった。
【先行技術文献】
【特許文献】
【０００３】
【特許文献１】実登３１９４５９３号公報
【特許文献２】特開２０１７−０４２５８０号公報
【考案の概要】
【考案が解決しようとする課題】
【０００４】  本考案は、前記した課題を解決するようにしたもので、笛内部の洗浄を簡単に行える構造であり、且つ、熱に強く、落下等の衝撃で壊れにくい、鍋等の笛装置を提供する。
【課題を解決するための手段】
【０００５】  鍋等の蓋部分に笛ベース部が一体に、又は着脱可能に、又は着脱自在に設けられていて、該笛ベース部に笛カバー部を着脱自在に取り付ける構造にして、且つ、笛ベース部及び／又は笛カバー部の材料として、シリコーンゴム等の耐熱性と弾性に優れた材料を使用する。
【考案の効果】
【０００６】  笛ベース部に笛カバー部を着脱自在に取り付ける構造にすることで、笛内部の洗浄を簡単に行える。又、笛ベース部及び／又は笛カバー部を、耐熱性と弾性に優れた材料にすることで、熱に強く落下等の衝撃で壊れにくい、鍋等の笛装置を提供できる。
【図面の簡単な説明】
【０００７】
【図１】蓋本体に笛ベース部が一体に設けられていて、該笛ベース部に笛カバー部を着脱自在に取り付ける構造の笛装置の、装着状態（左）と分離状態（右）の断面図。
【図２】蓋本体に笛ベース部が着脱自在に設けられていて、該笛ベース部に笛カバー部を着脱自在に取り付ける構造の笛装置の、装着状態（左）と分離状態（右）の断面図。
【考案を実施するための形態】
【０００８】  本考案の笛装置は、笛ベース部に笛カバー部を着脱自在に取り付ける構造が特徴である。
【実施例】
【０００９】  図１は、蓋本体１ａに笛ベース部３ａが一体に設けられていて、該笛ベース部３ａに笛カバー部６ａを着脱自在に取り付ける構造の笛装置Ｆａの、装着状態（左）と分離状態（右）の断面図である。１ａは蓋本体、２ａは蓋本体１ａの蒸気孔でもあり、笛装置Ｆａの蒸気入り口でもある。笛ベース部３ａは蓋本体１ａと一体に、蓋本体１ａの蒸気孔２ａ周辺に設けられている。笛カバー部６ａは、平面形状が円形の漏斗様で、てっぺんに笛装置Ｆａの蒸気出口７ａが有あり、材料は耐熱性と弾性に優れたシリコーンゴムが望ましい。５ａは発音空間である。水蒸気は、蒸気入り口２ａ→発音空間５ａ→蒸気出口７ａを経て笛音を発音する。【００１０】  図２は、蓋本体１ｂに笛ベース部３ｂが着脱自在に設けられていて、該笛ベース部３ｂに笛カバー部６ｂが着脱自在に取り付けられる構造の笛装置Ｆｂの、装着状態（左）と分離状態（右）の断面図である。１ｂは蓋本体、２ｂは蓋本体１ｂの蒸気孔でもあり、笛装置Ｆｂの蒸気入り口でもある。３ｂは笛ベース部であって、形状は平面形状が円形のトンネル状であり、空洞が蒸気通路４ｂとなる、材料は耐熱性と弾性に優れたシリコーンゴムが望ましい。６ｂは笛カバー部であって、形状は平面形状が円形の漏斗様であり、てっぺんに空気出口７ｂが有る、材料はシリコーンゴムが望ましい。５ｂは発音空間である。水蒸気は、蒸気入り口２ｂ→蒸気通路４ｂ→発音空間５ｂ→蒸気出口７ｂを経て笛音を発音する。
【産業上の利用可能性】
【００１１】  笛ベース部と笛カバー部との着脱を自在に行えるので、笛内部の洗浄を簡単に行える。
笛ベース部及び／又は笛カバー部に、弾性に優れた材料を使用するので壊れにくい。
実施例の笛装置は、市販の色々なサイズの鍋蓋に着脱自在に装着できる。
【符号の説明】
【００１２】Ｆａ，Ｆｂ    笛装置
１ａ，１ｂ    蓋本体
２ａ，２ｂ    蓋本体の蒸気孔でもあり、笛装置の蒸気入り口でもある。
３ａ，３ｂ    笛ベース部
４ｂ          蒸気通路
５ａ，５ｂ    発音空間
６ａ，６ｂ    笛カバー部
７ａ，７ｂ    蒸気出口
【図１】
0003217184.tif 000003
【図２】
0003217184.tif 000004
(57)【要約】      （修正有）【課題】洗濯した衣類の目隠し及び雨に晒されない工夫をした傘応用の洗濯用物干しを提供する。【解決手段】傘の受け骨、親骨のつゆさきに洗濯用ピンチを係合し洗濯脱水後の衣類を吊るし、傘の帆の上から日干し乾燥させる。傘の石突に傘の柄と同等の柄を接合し、物干し竿に吊るし固定する。【選択図】図１
0003217160.tif 000002
【実用新案登録請求の範囲】
【請求項１】
傘応用の洗濯用物干し。
【考案の詳細な説明】
【技術分野】
【０００１】
本考案は傘を応用した洗濯用物干しに関するものである。
【背景技術】
【０００２】
若い女性の中には不審者を警戒して、下着は部屋の中に干す人がいるそうだと人伝に聞いた覚えがあるその為女性専用の目隠しハンガーを販売した製品も有ったが面倒で流布しなかった。本考案は目隠しも行え、通常の物干しと同等の機能を備え、雨に晒されない長所も備えている。
【考案の概要】
【考案が解決しようとする課題】
【０００３】
傘と物干しの兼用をする為、傘の石突に物干し竿に固定の傘の柄を接合。
【課題を解決するための手段】
【０００４】
傘のつゆさきと親骨に其々に洗濯用ピンチを係合。
【考案の効果】
【０００５】
傘の外側、つゆさきには軽量のタオルやハンカチで内部を覆い洗濯ものの目隠しが出来るが、雨に晒される頻度が多々在るが濡れたままの状態で日干しを行う。
【図面の簡単な説明】
【０００６】
【図１】本考案の概要の斜視図である。
【図２】本考案の使用形態を示した図面代用写真である。
【考案を実施するための形態】
【０００７】
物干し竿に先端柄先を吊り下げ洗濯脱水した衣類を洗濯ピンチに吊るして日干し乾燥、目隠し用に露先のピンチには薄手のハンカチまたはタオル等で覆う。
【実施例】
【０００８】
本考案を実施するための実施形態を図２に軒先に吊るした例にして図面代用写真で示した。
【符号の説明】
【０００９】
1−１先端柄、１−２石突と先端柄の接合カバー、１−３石突、１−４中棒、１−５生地（傘の帆）、１−６親骨、１−７受け骨、１−８洗濯ピンチ、１−９ハジキ、１−１０柄手元、1-11露先
【図１】
0003217160.tif 000003
【図２】
0003217160.tif 000004
【手続補正書】
【提出日】平成30年3月30日(2018.3.30)
【手続補正１】
【補正対象書類名】実用新案登録請求の範囲
【補正対象項目名】全文
【補正方法】変更
【補正の内容】
【実用新案登録請求の範囲】
【請求項１】
傘を開き、吊るして、雨の日にも洗濯用物干しとして利用できる様、傘の石突きに別のU字形の傘の柄を加工、結合、又、傘のつゆさき、傘の親骨に洗濯用ピンチを係合し、洗濯用物干しとして利用が出来るようにした。
【手続補正書】
【提出日】平成30年5月28日(2018.5.28)
【手続補正１】
【補正対象書類名】実用新案登録請求の範囲
【補正対象項目名】全文
【補正方法】変更
【補正の内容】
【実用新案登録請求の範囲】
【請求項１】
傘を洗濯用物干しとして利用できるように傘の石突きに傘の柄を取り付け、傘の親骨、受け骨に洗濯用ピンチを取り付け、洗濯物の目隠し用ハンガーとしても吊り下げて雨の日にも利用できるようしたことを特徴とした傘応用の洗濯用物干し。
(57)【要約】      （修正有）【課題】大きな展示物も収納できるドーム型カプセルを提供する。【解決手段】円柱状の透明な台座３と台座３に収納可能な透明ドーム状の容器２と容器２のドームの頂点に設置したつまみ１と台座３の下部に設置した複数の脚部４とを有する。また、容器２にデコレーション部５を設けている。【選択図】図１
0003217173.tif 000002
【実用新案登録請求の範囲】
【請求項１】
円柱容器の透明の台座と前記台座に収納可能な透明ドーム状の容器と前記容器のドームの頂点に設置したつまみと前記台座の下部に設置した複数の脚部とを有することを特徴とするドーム型カプセル。
【請求項２】
前記容器にデコレーション部を設けることを特徴とする請求１記載のドーム型カプセル。
【考案の詳細な説明】
【技術分野】
【０００１】  フィギア、オルゴール、アクセサリー等を収納・展示するドーム型カプセルに関する。
【背景技術】
【０００２】  例えば特許文献１記載のようにボトル容器に小物グッズを収納する容器がある。
【先行技術文献】
【特許文献】
【０００３】
【特許文献１】特開２００６−２４８５９５公報
【考案の概要】
【考案が解決しようとする課題】  特許文献１の容器はボトルを使用しているので、ボトルにより大きなグッズを収納できないという課題がある。
【課題を解決するための手段】  円柱容器の透明の台座と前記台座に収納可能な透明ドーム状の容器と前記容器のドームの頂点に設置したつまみと前記台座の下部に設置した複数の脚部とを有する。また、前記容器にデコレーション部を設けている。
【考案の効果】  ボトルより大きな間口のドーム型カプセルを用いているので大きな展示物も収容可能となる。
【図面の簡単な説明】
【図１】  本考案実施例１の正面図である。
【図２】  本考案実施例２の上面図である。
【考案を実施するための形態】
以下図面を用いて、本考案の実施形態を説明する。図１は本考案の第１の実施形態のドーム型カプセルで、円柱状の透明な台座３と台座３に収納可能な透明の容器２からなり、容器２の頂点につまみ１を設けている。また台座３の下部には複数の脚部４があり、容器２を収納した台座３を支えている。このように構成されているドーム型カプセルであるので、間口が広く、大きなものも収納可能である。また、展示物は容器２および台座３で覆われているので埃の付着もなく、清潔に保つことが可能である。
また、図２は本考案の第２の実施例のドーム型カプセルの上面を示す図で、容器にデコレーション部５を設けることにより、容器２内に収納した展示物を際立たせたりする展示が可能となる。
【符号の説明】  １  つまみ
２  容器
３  台座
４  脚部
５  デコレーション部
【図１】
0003217173.tif 000003
【図２】
0003217173.tif 000004
(57)【要約】【課題】安価で繰り返し使える溶存水素判定具を提供する。【解決手段】白金コロイド含有メチレンブルー溶液をプラスティック製の容器に入れ密封したものを水中に浮かべ、色の変化により溶存水素の有無を判定する。【選択図】図１
0003217103.tif 000002
【実用新案登録請求の範囲】
【請求項１】
溶存水素の有無を判定するための溶存水素判定具であって、白金コロイド含有メチレンブルー溶液がプラスティック製の容器に密封されていることを特徴とする溶存水素判定具。
【考案の詳細な説明】
【技術分野】
【０００１】本考案は、水中に溶け込んでいる溶存水素の有無を判定する溶存水素判定具に関する。
【背景技術】
【０００２】近年，水素の抗酸化機能が注目され、医学分野を中心に詳細な研究が進められており、市場では水素を水に溶解させる水素水生成器をはじめ、ボトルやアルミパウチに封入した水素水飲料や化粧品、水素風呂など数多くの水素関連商品が販売されている。水素は無味無臭、無色透明であるため、それら商品に本当に水素が溶存しているかどうかを消費者自らが判定するためには、測定装置または試薬が必要で、一般的な測定装置、試薬として、例えば下記特許文献１及び２が存在する。【０００３】
【特許文献】特開２０１６−１４８５１７・・・特許文献１  特開２００４−５４８０１２・・・特許文献２
【考案の概要】
【考案が解決しようとする課題】
【０００４】溶存水素の有無を判定するためには、一般的に測定装置や試薬を必要とするが、測定装置は高価であるため実用的とはいえず、メチレンブルーを使った試薬は、測定装置に比べ安価だが、繰り返し使うことができない。それ故、この考案の課題は、安価で繰り返し使える溶存水素判定具を提供することにある。
【課題を解決するための手段】
【０００５】本考案は、白金コロイド含有メチレンブルー溶液をプラスティック製の容器に入れ密封することにより、上記課題を解決するものとする。
【考案の効果】
【０００６】本考案の溶存水素判定具を、例えば水素水生成器の中に入れると、水素が溶存しているときは、プラスティック容器内部の白金コロイド含有メチレンブルー溶液の色が青色から無色透明に変化する。水素は分子が小さく、プラスチック容器を短時間で通過するため、水素水などを直接溶液に付けることなく、容器内にあるメチレンブルー溶液の色の変化で溶存水素の有無を判定できる。現在、市販されているメチレンブルー試薬は、複数回使用することができないため、たとえば学校の授業などで何度も実験をしたい場合には不向きであるが、本考案の溶存水素判定具は、繰り返し使うことが可能で、コストの点で優位性がある。
【図面の簡単な説明】
【０００７】
【図１】溶存水素判定具の構成を示す正面図である。
【図２】溶存水素判定具の水素水発生器での使用例を示す説明図である。
【図３】溶存水素判定具の水素風呂での使用例を示す説明図である。
【図４】希釈倍率の違うメチレンブルー溶液が入った溶存水素判定具を示す説明図である。
【考案を実施するための形態】
【０００８】本考案の溶存水素判定具１は、プラスティック製の容器２に白金コロイド含有メチレンブルー溶液３が密封され、下部に重りが施された溶存水素判定具である。
【０００９】以下、溶存水素判定具１の使用方法について説明する。図２は溶存水素判定具１を水素水生成器５に浮かべている状況を示す説明図である。
【００１０】溶存水素判定具１の下部には水中に浮かべたとき垂直になるように、重りが施されている。
【００１１】図３は溶存水素判定具１を浴槽７に浮かべている状況を示す説明図である。
【００１２】使用者は溶存水素判定具１を、例えば水素水生成器５に浮かべ６、プラスティック製容器２内にあるメチレンブルー溶液３の色の変化を観察する。水中に水素が溶存しているときは、メチレンブルー溶液の色が青から透明に変化する。
【００１３】使用者は溶存水素判定具１を、例えば浴槽７に浮かべ８、プラスティック製容器２内にあるメチレンブルー溶液３の色の変化を観察する。水中に水素が溶存しているときは、メチレンブルー溶液の色が青から透明に変化する。
【００１４】メチレンブルー溶液の希釈倍率の違う溶存水素判定具９（Ａ，Ｂ，Ｃ）によって、おおよその溶存水素濃度を測定することができる。
【符号の説明】１…溶存水素判定具
２…プラスティック製容器
３…メチレンブルー溶液
４…重り
５…水素水生成器
６…水中に浮かんだ溶存水素判定具
７…浴槽
８…水中に浮かんだ溶存水素判定具
９…希釈倍率の違うメチレンブルー溶液が入った溶存水素判定具（Ａ，Ｂ，Ｃ）
【図１】
0003217103.tif 000003
【図２】
0003217103.tif 000004
【図３】
0003217103.tif 000005
【図４】
0003217103.tif 000006
(57)【要約】      （修正有）【課題】従来子どものある時点での発達度合を判定するためだけに用いられてきた発達検査表を成長発達サポート表として改訂し、データを電子化して指導員と研究者が情報を共有して有効性を高めた成長発達サポート表活用システムを提供する。【解決手段】上記の発達検査表に「発達中」を示す△マークを入力する欄を追加し、この表を成長発達サポート表２、３として用いて定期的に成長度合を入力する。情報はＰＣ４によりデジタル化し、データベース化する。データベースはネットワーク５により指導員、研究者間で共有することで、指導効果を高める。【選択図】図１
0003217617.tif 000002
【実用新案登録請求の範囲】
【請求項１】
発達障害児の改善指導のツールとして、端末とサーバーをネットワークで接続し、成長発達サポート表を親から定期的に受け取り、登録用端末から入力して電子化し、ネットワーク経由でサーバーに保存して、分析用端末で内容を表示、履歴をグラフに加工することによって、親、指導員、研究者で情報を共有し、発達度合の把握や指導の有効性の評価を可能にした成長発達サポート表活用システム。
【考案の詳細な説明】
【技術分野】
【０００１】  本考案は成長発達サポート表を電子化し、ネットワークで共有して有効性を高めたシステムに関するものである。
【背景技術】
【０００２】  従来、発達検査表は従来、医療・教育機関において、知的障害を持つ子どものある時点での発達度合を判定するために用いられてきた。例えば「人の顔を見つめる」といった判断事項について、「検査時にできたかできないか」の○×評価しかされていなかった。又、データベース化して一人の子どもの発達を時系列的に追跡する、あるいは他の子供との比較検討を行うといった利用はなされていなかった。
【先行技術文献】
【特許文献】
【０００３】
【特許文献１】特開２００２−８３０４７号  公報
【非特許文献】
【０００４】
【非特許文献１】新版Ｋ式発達検査  京都市児童福祉センター刊行
【考案の概要】
【考案が解決しようとする課題】
【０００５】  従来の発達検査表の利用は、子どものある時点での発達度合を判定するためだけに用いられてきたため、親にとっては自分の子どもの判定（普通級か特殊学級か）に用いられるだけで、現在どの分野の発達がどの程度遅れているかを指摘するだけの、時間をとられる割に有効性の低いものであった。
【課題を解決するための手段】
【０００６】  本考案は上記の発達検査表自体に、まだ達成してはいないが進歩がみられる事項について、新たに「発達中」を示す△マークを入力する欄を設ける改訂した成長発達サポート表をデータとして登録する。その情報を親、指導員、研究者が共有して子どもの発達状況を改善するツールとして用いる事を目的としている。共有化のために、発達検査表を登録用端末（パーソナルコンピューター等、以下ＰＣ）によって入力し、デジタルデータとしてデータベース化する。データベースはネットワークにより指導員、研究者間で共有し、比較検討や発達指数値グラフ（履歴情報）といった形で指導に活用する。
ネットワーク環境の構築後の具体的な作業手順は以下のとおりである。
１）指導員は成長発達サポート表（原票）を出力し、親に記入方法を説明する。
２）親は子どもの普段の行動を元に、成長発達サポート表の各項目に記入する。
３）指導員は、成長発達サポート表の内容を登録用端末から登録する。
４）登録された成長発達サポート表データは、ネットワークを経由して、サーバーに保管される。
５）各子どもの成長発達サポート表を定期的に収集し、まとめて発達指数値のグラフとして成長を可視化する。
６）検査表データは指導員、研究者によって共有され、子どもを指導するためのアドバイスの元として用いられる。
７）指導員は親に発達指数値グラフやアドバイスを提供し、親による指導をサポートする。
８）指導員は他の子どもの成長発達サポート表データにもアクセスして、自分の指導している親子へのアドバイスの参考にする事もできる。
９）研究員は分析用端末より発達検査表の各項目の相互関係の分析、改善傾向を分析して、より効果的な指導方法を研究する。
成長発達サポート表のデータは、匿名加工情報として個人を特定できない形で抽出することにより、外部の専門研究機関においても、教育効果を高める研究が可能となる。
【考案の効果】
【０００７】  保管されたデータを親、指導員、研究者により共有することにより、有効に活用される。指導員、研究者は複数の子どもの情報を比較検討して、子どもへの有効な教育指導アドバイスの検討・提供に用いることができる。親、指導員、研究者が、同一の子どもの発達検査表を時系列に並べて、未発達（空白）→△（発達中）→○（達成）の度合を評価することにより指導の有効性の評価にも用いる事ができる。
【図面の簡単な説明】
【０００８】
【図１】システム概念図
【図２】成長発達サポート表
【図３】発達指数値のグラフ
【考案を実施するための形態】
【０００９】  成長発達サポート表データをデータベースとして安全に保管、運用するためのサーバーと発達検査表をデジタルデータとして登録するための指導員の登録用端末（ＰＣ）をネットワークで接続する。指導員用の端末には、発達検査表や発達指数値グラフ（履歴情報）を出力するためのプリンターも接続する。研究者の分析用端末も同様にネットワークに接続する。
この環境を構築後、発達検査表をデータとして取り込む。
【実施例】
【００１０】  以下、添付図１に従って実施例を説明する。
成長発達サポート表、発達指数値グラフを出力するプリンターは１
成長発達サポート表（原票）は２
親が記入した発達検査表は３
指導員が成長発達サポート表を登録する端末（ＰＣ）は４
端末（ＰＣ）、サーバーを接続するネットワークは５
成長発達サポート表データを保管するサーバーは６
成長発達サポート表を元に作成した発達指数値グラフは７
研究者の分析用端末（ＰＣ）は８
【産業上の利用可能性】
【００１１】・データを匿名加工情報として、教育研究機関での研究に活用する（ＡＩへの入力情報としても活用することができる）。
・システムの活用形態を他の分野形式を他の分野に適用（遠隔コーチング、在宅の認知症患者に対する介護者への情報提供等）
【符号の説明】
【００１２】１  プリンター
２  成長発達サポート表（原票）
３  成長発達サポート表（記入済）
４  ＰＣ（登録用端末）
５  ネットワーク
６  サーバー
７  発達指数値グラフ
８  ＰＣ（分析用端末）
【図１】
0003217617.tif 000003
【図２】
0003217617.tif 000004
【図３】
0003217617.tif 000005